【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
装置であって、
メモリと、
前記メモリに結合されたプロセッサと、
を含み、前記プロセッサが、
ルーティングプレフィックスを決定し、
ハッシュ関数を近隣認識ネットワーク(NAN)のデータリンクグループ識別子に適用することによって、データリンクグループの第1の識別子を決定し、
デバイスに対応する第2の識別子を決定し、
前記ルーティングプレフィックスと前記第1の識別子と前記第2の識別子との組合せに基づいて、前記デバイスのデータリンクインターフェースに関するインターネットプロトコル(IP)アドレスを生成する、
ように構成される、装置。
【請求項２】
前記プロセッサが、前記IPアドレスを生成するために、前記ルーティングプレフィックスと前記第1の識別子と前記第2の識別子とを連結するようにさらに構成され、前記ルーティングプレフィックスが、データリンクネットワーク内の使用専用である、
請求項1に記載の装置。
【請求項３】
前記データリンクインターフェースが、第1のデータパケットを前記データリンクグループの1つまたは複数のデバイスに送信するように構成され、前記第1のデータパケットのヘッダが、前記第1のデータパケットの発信元アドレスとして前記データリンクインターフェースに関する前記IPアドレスを示すアドレスデータを含む、
請求項1に記載の装置。
【請求項４】
前記プロセッサに結合された受信機をさらに含み、前記受信機が、
前記データリンクグループの第2のデバイスから第2のデータパケットを受信することであって、前記第2のデータパケットの第2のヘッダが、前記第2のデータパケットの宛先アドレスとして、前記データリンクインターフェースに関する前記IPアドレスを示す第2のアドレスデータを含む、受信することと、
前記第2のデータパケット内に含まれた前記IPアドレスに基づいて、前記第2のデータパケットを前記データリンクインターフェースに提供することと、
を行うように構成される、
請求項3に記載の装置。
【請求項５】
前記第1の識別子が、サブネット識別子を含み、前記第1の識別子が非グローバル識別子を含み、前記ルーティングプレフィックスがデータリンクルーティングプレフィックスを含む、
請求項1に記載の装置。
【請求項６】
前記データリンクグループが、近隣認識ネットワーク(NAN)の近隣認識ネットワークデータリンク(NDL)グループに対応し、前記データリンクグループ識別子が前記NAN内で一意である、
請求項1に記載の装置。
【請求項７】
前記IPアドレスが、IPバージョン6(IPv6)アドレスまたはIPバージョン4(IPv4)アドレスに対応する、
請求項1に記載の装置。
【請求項８】
前記プロセッサが、前記デバイスの媒体アクセス制御(MAC)識別子に基づいて、前記第2の識別子を決定するようにさらに構成され、前記第2の識別子がインターフェース識別子を含む、
請求項1に記載の装置。
【請求項９】
第2のデータリンクインターフェースをさらに含み、前記プロセッサが、
第2のデータリンクグループの第2のデータリンクグループ識別子に対応する第3の識別子を決定し、
前記デバイスの第2のMAC識別子に基づいて、第4の識別子を決定し、
前記ルーティングプレフィックスと前記第3の識別子と前記第4の識別子との組合せに基づいて、前記第2のデータリンクインターフェースに関する第2のIPアドレスを生成する
ようにさらに構成される、
請求項8に記載の装置。
【請求項１０】
第2のデータリンクインターフェースをさらに含み、前記プロセッサが、
前記第2のデータリンクインターフェースを生成し、
第2のデータリンクグループの第2のデータリンクグループ識別子に対応する第3の識別子を決定し、
前記ルーティングプレフィックスと前記第2の識別子と前記第3の識別子との組合せに基づいて、前記第2のデータリンクインターフェースに関する第2のIPアドレスを生成する
ようにさらに構成される、
請求項1に記載の装置。
【請求項１１】
前記プロセッサが、
データリンクサブネット識別子を生成するために、前記第1の識別子を前記ルーティングプレフィックスと組み合わせることであって、前記IPアドレスが、前記データリンクサブネット識別子と前記第2の識別子との組合せにさらに基づいて生成される、組み合わせることと、
前記データリンクサブネット識別子が近隣認識ネットワーク(NAN)のデバイスによって使用されるサブネットの識別子と競合するかどうかを決定することと、
前記データリンクサブネット識別子が前記NANの前記デバイスによって使用される前記サブネットの前記識別子と競合するとの決定に応じて、前記データリンクサブネット識別子を更新することと、
を行うようにさらに構成される、
請求項1に記載の装置。
【請求項１２】
前記ルーティングプレフィックスがグローバルにルーティング不可能なプレフィックスに対応する、
請求項11に記載の装置。
【請求項１３】
前記プロセッサが、
ローカルアドレスプレフィックスを決定することと、
団体に対応する第5の識別子を決定することとであって、前記ルーティングプレフィックスが、少なくとも前記ローカルアドレスプレフィックスと前記第5の識別子とを含む、決定することと、
を行うようにさらに構成される、
請求項1に記載の装置。
【請求項１４】
前記ローカルアドレスプレフィックスが、IPバージョン6(IPv6)一意ローカルアドレス(ULA)プレフィックスまたは特定のIPバージョン4(IPv4)プレフィックスに対応する、
請求項13に記載の装置。
【請求項１５】
前記ルーティングプレフィックスがローカルインジケータビットをさらに含み、前記ローカルアドレスプレフィックスと前記ローカルインジケータビットと前記第5の識別子との組合せが一意プレフィックスに対応する、
請求項13に記載の装置。
【請求項１６】
前記IPアドレスが、128ビットのIPバージョン6(IPv6)アドレスを含み、
最初の7ビットが前記ローカルアドレスプレフィックスを示し、
前記ローカルアドレスプレフィックスに連続的に続くビットがローカルインジケータビットを含み、前記ローカルインジケータビットが、前記IPv6アドレスがローカルに割り当てられることを示す第1の値を有し、
前記ローカルインジケータビットに連続的に続く40ビットが前記第5の識別子を示し、
前記第5の識別子に連続的に続く16ビットが前記第1の識別子を示し、
前記第1の識別子に連続的に続く64ビットが前記第2の識別子を示す、
請求項13に記載の装置。
【請求項１７】
方法であって、
ルーティングプレフィックスを決定するステップと、
デバイスによって、ハッシュ関数を近隣認識ネットワーク(NAN)のデータリンクグループ識別子に適用することによって、データリンクグループの第1の識別子を決定するステップであって、前記第1の識別子がローカル識別子である、ステップと、
前記デバイスによって、前記デバイスに対応する第2の識別子を決定するステップと、
前記デバイスによって、前記ルーティングプレフィックスと前記第1の識別子と前記第2の識別子とに基づいて、前記デバイスのデータリンクインターフェースに関するインターネットプロトコル(IP)アドレスを生成するステップと、
を含む、方法。
【請求項１８】
前記デバイスの前記データリンクインターフェースに関する前記IPアドレスに基づいて、前記デバイスから前記データリンクグループの1つまたは複数のデバイスに第1のデータパケットを送るステップと、
前記デバイスの前記データリンクインターフェースに関する前記IPアドレスに基づいて、前記データリンクグループの前記1つまたは複数のデバイスの第2のデバイスから第2のデータパケットを受信するステップと、
をさらに含む、請求項17に記載の方法。
【請求項１９】
第1のワイヤレスネットワークの基地局からサービスに対応するデータを受信するステップと、
前記サービスに対応する前記データを前記データリンクグループの1つまたは複数のデバイスに提供するステップであって、前記データリンクの前記1つまたは複数のデバイスが第2のワイヤレスネットワークに対応する、提供するステップと、
をさらに含む、請求項17に記載の方法。
【請求項２０】
前記データリンクグループが、近隣認識ネットワーク(NAN)の近隣認識ネットワークデータリンク(NDL)グループに対応し、前記データリンクグループ識別子が前記NAN内で一意である、
請求項17に記載の方法。
【請求項２１】
前記デバイスによって、データリンクサブネット識別子を生成するために、前記第1の識別子を前記ルーティングプレフィックスと組み合わせるステップをさらに含む、
請求項17に記載の方法。
【請求項２２】
前記デバイスによって、前記IPアドレスを生成するために、前記データリンクサブネット識別子と前記第2の識別子とを組み合わせるステップをさらに含み、前記IPアドレスが、IPバージョン6(IPv6)アドレスまたはIPバージョン4(IPv4)アドレスに対応する、
請求項21に記載の方法。
【請求項２３】
前記データリンクサブネット識別子がデータリンクネットワークのデバイスによって使用されるサブネットの識別子と競合するかどうかを決定するステップと、
前記データリンクサブネット識別子が前記データリンクネットワークの前記デバイスによって使用される前記サブネットの前記識別子と競合するとの決定に応じて、前記データリンクサブネット識別子を更新するステップと、
をさらに含む、請求項21に記載の方法。
【請求項２４】
第2のデバイスから競合通知を受信するステップであって、前記競合通知が、前記データリンクサブネット識別子が別のデバイスによって使用中であることを示す競合データを含む、受信するステップと、
前記競合通知の受信に応じて、前記データリンクサブネット識別子が前記データリンクネットワークの前記デバイスによって使用される前記サブネットの前記識別子と競合すると決定するステップと、
をさらに含む、請求項23に記載の方法。
【請求項２５】
前記デバイスによって、ローカルアドレスプレフィックスを決定するステップと、
前記デバイスによって、団体に対応する第3の識別子を決定するステップであって、前記ルーティングプレフィックスが、前記ローカルアドレスプレフィックスとローカルインジケータビットと前記第3の識別子とを含む、決定するステップと、
をさらに含む、請求項17に記載の方法。
【請求項２６】
前記デバイスのアプリケーションによって第1のコマンドを生成するステップであって、前記第1のコマンドが第2のデータリンクインターフェースを生成させるように構成される、生成するステップと、
前記デバイスにおいて、前記第1のコマンドの実行に応じて、前記第2のデータリンクインターフェースを生成するステップであって、前記第2のデータリンクインターフェースが第2のIPアドレスおよび第2のデータリンクグループに対応する、生成するステップと、
第2のコマンドの実行に応じて、第3のIPアドレスを前記第2のデータリンクインターフェースに割り当てるステップであって、前記第2のデータリンクインターフェースが第3のデータリンクグループに対応する、割り当てるステップと、
をさらに含む、請求項25に記載の方法。
【請求項２７】
装置であって、
ルーティングプレフィックスを決定するための手段と、
ハッシュ関数を近隣認識ネットワーク(NAN)のデータリンクグループ識別子に適用することによって、データリンクグループの第1の識別子を決定するための手段と、
デバイスに対応する第2の識別子を決定するための手段と、
前記ルーティングプレフィックスと前記第1の識別子と前記第2の識別子との組合せに基づいて、前記デバイスのデータリンクインターフェースに関するインターネットプロトコル(IP)アドレスを生成するための手段と、
を含む、装置。
【請求項２８】
前記第1の識別子を前記ルーティングプレフィックスと組み合わせることによって、データリンクサブネット識別子を生成するための手段と、
前記データリンクサブネット識別子がデータリンクネットワークのデバイスによって使用されるサブネットの識別子と競合するとの決定に応じて、前記データリンクサブネット識別子を更新するための手段と、
をさらに含む、請求項27に記載の装置。
【請求項２９】
プロセッサによって実行されると、前記プロセッサに、
ルーティングプレフィックスを決定することと、
ハッシュ関数を近隣認識ネットワーク(NAN)のデータリンクグループ識別子に適用することによって、データリンクグループの第1の識別子を決定することであって、前記第1の識別子がローカル識別子である、ことと、
デバイスに対応する第2の識別子を決定することと、
前記ルーティングプレフィックスと前記第1の識別子と前記第2の識別子とに基づいて、前記デバイスのデータリンクインターフェースに関するインターネットプロトコル(IP)アドレスを生成することと、
を含む動作を実行させる命令を記憶した、コンピュータ可読記憶デバイス。
【請求項３０】
前記IPアドレスがIPバージョン6(IPv6)アドレスまたはIPバージョン4(IPv4)アドレスに対応し、データリンクルーティングプレフィックスがデータリンクネットワーク内で使用される、
請求項29に記載のコンピュータ可読記憶デバイス。